(57)【特許請求の範囲】
【請求項１】
位置検出すべき対象物からの第１の信号と、あらかじめ位置確認がなされた複数の位置からの第２の信号とを受信する受信器と、
前記受信器が受信した前記第１の信号と前記第２の信号を用いて、前記対象物の位置を検出する位置検出手段とを具備し、
前記第１の信号及び前記第２の信号は各々識別情報を含み、前記位置検出手段は受信レベルテーブルと受信レベル更新部と位置検索部とを備え、前記受信レベル更新部では前記受信器が前記第１の信号または前記第２の信号を受信するごとにその強度を前記受信レベルテーブルに格納し、
前記位置検索部では、前記対象物の位置検出を行う際、前記第１の信号の強度を前記受信レベルテーブルより抽出して基準受信レベルセットとし、前記第２の信号の強度を前記受信レベルテーブルより抽出して複数の参照受信レベルセットとし、前記基準受信レベルセットと前記複数の参照受信レベルセットとを比較して１つの参照受信レベルセットを選択し、その参照受信レベルセットに対応する第２の信号の識別情報を前記対象物の位置回答信号として送出することを特徴とする位置検出システム。
【請求項２】
前記基準受信レベルセットと前記参照受信レベルセットを比較する際、比較結果があらかじめ指定した条件を満たす場合は、前記対象物の位置が不明であることを示す信号を前記位置回答信号として送出することを特徴とする請求項１記載の位置検出システム。
【請求項３】
前記基準受信レベルセットと前記参照受信レベルセットを比較する際、比較結果があらかじめ指定した条件を満たす場合は、複数の参照受信レベルセットを選択し、それらの参照受信レベルセットに対応する第２の信号の識別情報を前記対象物の前記位置回答信号として送出することを特徴とする請求項１記載の位置検出システム。
【請求項４】
第１の受信器で受信した位置検出すべき対象物からの第１の信号の受信レベル（Ｅａ１）と、第２の受信器で受信した前記第１の信号の受信レベル（Ｅａ２）とを含む基準受信レベルセットと；
前記第１の受信器で受信した第ｉ位置（ｉは１乃至Ｎの整数、Ｎは２以上）から発せられる第２（ｉ）の信号の受信レベル（Ｅｉ１）と、前記第２の受信器で受信した前記第２（ｉ）の信号の受信レベル（Ｅｉ２）とを含む第ｉ参照受信レベルセットと；
の比較により、前記対象物と前記第ｉ位置との相対的位置を判断し、前記第ｉ参照受信レベルセットは前記第２（ｉ）の信号に応じて更新されることを特徴とする位置検出方法。
【請求項５】
前記第ｉ参照受信レベルセットは位置検出の実行の際に更新されることを特徴とする請求項４記載の位置検出方法。
【請求項６】
前記第ｉ位置は空間的位置が固定若しくは移動するものであることを特徴とする請求項４記載の位置検出方法。
【請求項７】
前記第２（ｉ）の信号を受信する第ｍの受信器（ｍは３以上の整数）をさらに備え、前記第ｉ参照受信レベルセットは第ｍの受信器で受信した前記第２（ｉ）の信号の受信レベルをも含むことを特徴とする請求項４記載の位置検出方法。
【請求項８】
位置検出すべき対象物からの第１の信号と、第ｉ位置（ｉは１乃至Ｎの整数、Ｎは２以上）から発せられる第２（ｉ）の信号とを受信する第１の受信器と；
前記第１の信号及び第２（ｉ）の信号とを受信する第２の受信器と；
前記第２（ｉ）の信号の受信レベル（Ｅｉ１）と前記第２（ｉ）の信号の受信レベル（Ｅｉ２）とを含み、前記第２（ｉ）の信号の識別情報（ｉ）と関連付けて格納された第ｉ参照受信レベルセットと、前記第１の受信器で受信した第１の信号の受信レベル（Ｅａ１）と前記第２の受信器で受信した第１の信号の受信レベル（Ｅａ２）とを含み、前記第１の信号の識別情報と関連付けて格納された基準受信レベルセットとを比較して所定の条件を満たす参照受信レベルセットを抽出し、前記対象物の位置回答信号としてこの抽出された前記参照受信レベルセットの識別情報を送出する位置検出部と；
を有することを特徴とする位置検出システム。
【請求項９】
所定の条件を満たす参照受信レベルセットがない場合は、前記対象物の位置が不明であることを示す信号を送出することを特徴とする請求項８記載の位置検出システム。
【請求項１０】
前記対象物の位置検出を行う際に前記第１の信号と前記第２（ｉ）の信号とを受信することで、前記参照受信レベルセットを更新することを特徴とする請求項８記載の位置検出システム。
【発明の詳細な説明】
【０００１】
【発明の属する技術分野】
本発明は、位置検出システム及び位置検出方法に関する。
【０００２】
【従来の技術】
一定の空間内で特定の物体を探索する場合や、遠隔地における物体の有無や位置を知りたい場合に物体の位置を検出する技術としては、さまざまな手法が提案されている。
【０００３】
例えば、Ｇｌｏｂａｌ  Ｐｏｓｉｔｉｏｎｉｎｇ  Ｓｙｓｔｅｍ（ＧＰＳ）やＰｅｒｓｏｎａｌ  Ｈａｎｄｙｐｈｏｎｅ  Ｓｙｓｔｅｍ（ＰＨＳ）による位置検出方法、ＲＦＩＤ（無線）タグによる方法、ビデオカメラによる物体撮像画像により位置を特定する方法等がある。
【０００４】
このうち、ＧＰＳ、公衆網を利用するＰＨＳは、屋外でかつ範囲を限定されない広い空間内での位置検出に適している。一方、自営網を利用するＰＨＳ、ＲＦＩＤタグシステム、ビデオカメラ等は、倉庫の中等の、範囲の限定された比較的狭い空間での位置検出に適している。
【０００５】
範囲の限定された空間内で位置検出を行う場合は、いずれの方法においても、位置検出の為のインフラを整備する必要がある。
【０００６】
例えば、ＲＦＩＤタグを用いた位置検出システムを例に取ると、図５に示すように、位置検出システムは、空間２内に受信器１２（タグリーダ）を複数配置し、受信器１２からの信号を伝送路４を介して位置検出部１３に集める構成を有する。全ての受信器１２の設置位置は、あらかじめ測定しておく。なお、図中では、伝送路４は一部の受信器１２に接続されているが、実際は、伝送路４は全ての受信器１２に接続されている。
【０００７】
位置を検出する際は、検出対象３は発信器１１（ＲＦＩＤタグ）を付帯し、発信器１１は固有の識別情報（ＣＳＩＤ）を含む電波を発する。検出対象３が１つである場合は、複数の受信器１２は、発信器１１からの電波の電界強度を、識別情報とともに測定する。位置検出部１３では、複数の受信器１２による測定結果の中から最も電界強度の高いものを選択し、検出対象３が、対応する受信器１２の付近にあるとみなし、その受信器１２の設置位置を検出対象３の位置として検出する。検出対象３が複数ある場合も同様にして位置を検出すればよく、各発信器１１の固有の識別情報により、各検出対象３を識別する。
【０００８】
しかしながら図５の方法では、例えば受信器Ａと受信器Ｂがあり、実際には検出対象３に付帯する発信器１１が受信器Ａにより近かったとしても、受信器Ａと発信器１１の間に障害物があった場合などは、受信器Ｂで受信する電波の方が電界強度が強い可能性もある。その場合、検出対象３は、受信器Ｂの付近にあるとみなされ、位置の誤認が起こる。
【０００９】
また、別の位置検出の方法として、受信器で測定された電界強度によって、受信器から発信器までの距離を推定して、発信器の位置を検出する方法もある。この位置検出方法では、例えば図６に示すように、空間２内に位置が既知である３台の受信器２２を設置し、これらの受信器２２で検出対象３が付帯する発信器２１の電界強度を測定することで、発信器２１、つまり検出対象３の位置を検出する。
【００１０】
すなわち、３台の受信器２２で測定される電界強度をＥ１、Ｅ２、Ｅ３とすると、それぞれ（数１）の関係がある。
【００１１】
【数１】
0003587448.tif 000002
（数１）において、Ｋは発信器２１が発する電波の特性によって決まる既知の定数であり、ｄ１、ｄ２、ｄ３は、発信器２１とそれぞれの受信器２２間の距離を示す。このとき、Ｋと、Ｅ１、Ｅ２、Ｅ３がわかることから、ｄ１、ｄ２、ｄ３が決定され、発信器２１の位置が特定できる。
【００１２】
すなわち、図７に示すように、（数１）より算出される距離ｄ１、ｄ２、ｄ３をそれぞれ半径とする円を、対応する３台の受信器の設置位置を中心として描くと、３つの円周が重なる点が得られ、これが求める位置となる。
【００１３】
しかしながら、図６の位置検出方法においても、受信器２２と発信器２１の間に障害物があったときなどに、距離が誤って計算され位置の誤認が起こる、または３つの円の交点がなく位置が検出出来ない、等の問題があった。
【００１４】
【発明が解決しようとする課題】
上述したように、従来の位置検出方法では、発信器と受信器との間に、障害物があった場合などに、位置の誤認が起こる可能性があり、精度の高い位置検出が行われないという問題があった。
【００１５】
従って、本発明はこのような問題に鑑み、精度の高い位置検出システム及び位置検出方法を提供することを目的とする。
【００１６】
【課題を解決するための手段】
従って本発明の第１は、位置検出すべき対象物からの第１の信号と、あらかじめ位置確認がなされた複数の位置からの第２の信号とを受信する受信器と、受信器が受信した第１の信号と第２の信号を用いて、対象物の位置を検出する位置検出手段とを具備することを特徴とする位置検出システムを提供する。
【００１７】
本発明の第１では、第１の信号及び第２の信号は各々識別情報を含み、位置検出手段は受信レベルテーブルと受信レベル更新部と位置検索部とを備え、受信レベル更新部では受信器が第１の信号または第２の信号を受信するごとにその強度を受信レベルテーブルに格納し、位置検索部では、対象物の位置検出を行う際、第１の信号の強度を受信レベルテーブルより抽出して基準受信レベルセットとし、第２の信号の強度を受信レベルテーブルより抽出して複数の参照受信レベルセットとし、基準受信レベルセットと複数の参照受信レベルセットとを比較して１つの参照受信レベルセットを選択し、その参照受信レベルセットに対応する第２の信号の識別情報を対象物の位置回答信号として送出しても良い。
【００１８】
また本発明の第１では、基準受信レベルセットと参照受信レベルセットを比較する際、比較結果があらかじめ指定した条件を満たす場合は、対象物の位置が不明であることを示す信号を位置回答信号として送出しても良い。
【００１９】
さらに本発明の第１では、基準受信レベルセットと参照受信レベルセットを比較する際、比較結果があらかじめ指定した条件を満たす場合は、複数の参照受信レベルセットを選択し、それらの参照受信レベルセットに対応する第２の信号の識別情報を対象物の位置回答信号として送出しても良い。
【００２０】
また本発明の第１では、間欠的に第１の信号及び第２の信号が発信され、受信レベル更新部では受信器が第１の信号または第２の信号を受信するごとに第１の信号または第２の信号のそれぞれの強度を受信レベルテーブルに格納し、更新しても良い。
【００２１】
本発明の第２は、信号を発信する発信器と、信号に応じて位置検出すべき対象物から発信される第１の信号と、信号に応じてあらかじめ位置確認がなされた複数の位置から発信される第２の信号とを受信する受信器と、受信器が受信した第１の信号と第２の信号を用いて、対象物の位置を検出する位置検出手段とを具備することを特徴とする位置検出システムを提供する。
【００２２】
本発明の第２では、受信器で受信される第１の信号と第２の信号の強度を位置検出手段で比較して対象物の位置を検出しても良い。
【００２３】
また本発明の第２では、発信器が受信器を兼ねた送受信器であっても良い。
【００２４】
本発明の第３は、所定の空間内における検出対象の存在位置を検出する位置検出方法であって、検出対象にそれぞれ付帯される第１の発信器から信号を発信するステップと、空間内に設置される複数の第２の発信器から信号を発信するステップと、空間内の所定の位置に固定される複数の受信器によって第１の発信器、第２の発信器からの信号を受信するステップと、受信器が受信した信号を比較して、第１の発信器と第２の発信器との相対位置を検出するステップとを具備することを特徴とする位置検出方法を提供する。
【００２５】
本発明の第３では、第１の発信器と第２の発信器の全てから、等しい出力の信号を発信しても良い。
【００２６】
本発明の第４は、所定の空間内における検出対象の存在位置を検出する位置検出方法であって、空間内の所定の位置に固定される複数の発信器から信号を発信するステップと、検出対象にそれぞれ付帯される第１の受信器によって発信器からの信号を受信するステップと、空間内に設置される複数の第２の受信器によって発信器からの信号を受信するステップと、第１の受信器、第２の受信器が受信した信号を比較して、第１の受信器と第２の受信器との相対位置を検出するステップとを具備することを特徴とする位置検出方法を提供する。
【００２７】
本発明の第４では、全ての発信器から、等しい出力の信号を発信しても良い。
【００２８】
【発明の実施の形態】
以下に本発明の実施形態を図面を参照しつつ詳細に説明するが、本発明はこの実施形態に限定されるものではない。なお、ここでは位置検出手段としてＲＦＩＤタグシステムを採用した場合について説明するが、ＰＨＳ、ＧＰＳ等、他の無線システムを用いた場合でも、同様な原理で適用可能である。また、ここでは２次元空間での位置検出のみについて述べているが、３次元空間にも容易に拡張可能である。
【００２９】
本発明の実施形態について説明する。本実施形態の位置検出システムを図１に示す。本実施形態の位置検出システムは、部屋、倉庫等、範囲の限定された空間内に存在する検出対象（対象物）の位置を検出するものである。
【００３０】
本実施形態の位置検出システムは、図１に示すように、空間２内に、ＲＦＩＤタグからなる第２の発信器ＲＦｉ（ｉ＝１〜Ｎ，ｉ≠ａ）が、検出したい箇所に複数設置されており、また検出対象３は、ＲＦＩＤタグからなる第１の発信器ＲＦａを付帯している。さらに、空間２を形成する境界の一辺の両端に、受信器ＲＳ１、ＲＳ２を固定し、受信器ＲＳ１、ＲＳ２は伝送路４を介し、位置検出部５に接続している。位置検出部５は受信レベル更新部５Ａ、受信レベルテーブル５Ｂ、位置検索部５Ｃを有する。
【００３１】
なお、複数の第２の発信器ＲＦｉが発信する電波（第２の信号）は、全て同一の発信レベル（出力）を有し、互いに異なる識別情報（ＣＳＩＤ）を電波に含む。それぞれの識別情報と、それを有する発信器ＲＦｉを設置した場所の対応表は、別途作成しておく。また、第１の発信器ＲＦａが発信する電波（第１の信号）は、第２の発信器ＲＦｉと同じ発信レベルを有し、各第２の発信器ＲＦｉと異なる識別情報を有する。
【００３２】
本実施形態の位置検出システムでは、検出対象の位置を検出する際、検出対象が第１の発信器ＲＦａを付帯し、同様な構成からなる第１の発信器ＲＦａと複数の第２の発信器ＲＦｉから電波を発信し、これらの発信器の電波を複数の受信器で受信し、それぞれの識別情報を検出するとともに、それぞれの電界強度を測定する。位置検出部では、これらの受信器で受信した電波の電界強度を比較し、第１の発信器ＲＦａの電界強度と近い値の電界強度を有する第２の発信器ＲＦｉが検出対象に近いものであるとし、検出対象の位置の回答を行う。
【００３３】
本実施形態の位置検出方法を次に示す。
【００３４】
まず、第１の発信器ＲＦａと第２の発信器ＲＦｉが、間欠的に電波を発信する。受信器ＲＳ１とＲＳ２は、連続的に第１の発信器ＲＦａと第２の発信器ＲＦｉからの電波の電界強度（ＲＳＳＩ）を受信レベルとして測定するとともに、その識別情報を検出する。そして、受信器ＲＳ１とＲＳ２は、受信器自身の識別情報とともに、第１の発信器ＲＦａと第２の発信器ＲＦｉの受信レベルと識別情報を、伝送路４を介して位置検出部５に送る。ここで、伝送路４はケーブルを用いても良いし、ワイヤレスにより行っても良い。
【００３５】
位置検出部５では、受信レベル更新部５Ａが、伝送路４から送られてきた各々の受信レベルと識別情報を用いて、受信レベルテーブル５Ｂの内容を、常に最新の状態に更新する。
【００３６】
受信レベルテーブル５Ｂは、（表１）に示すような構造をもつ。すなわち、第１の発信器ＲＦａ、第２の発信器ＲＦｉ、つまり発信器の識別情報と、受信器ＲＳ１、ＲＳ２、つまり受信器の識別情報からなる２次元の表であり、発信器と受信器の交点に対応するフィールドには、発信器からの電波を受信器で受信した際の受信レベルが格納される。受信レベル更新部５Ａでは、伝送路４から、発信器と受信器の識別情報、それに対応するフィールドの受信レベルの値を得て、受信レベルテーブル５Ｂを更新する。第１の発信器ＲＦａからの電波の受信レベルを識別情報とともに格納したものを、基準受信レベルセットとし、第２の発信器ＲＦｉからの電波の受信レベルを識別情報とともに格納したものを、参照受信レベルセットとする。
【００３７】
【表１】
0003587448.tif 000003
位置検索部５Ｃで位置検出を行う際は、図１に示すように検出対象位置問い合わせ信号ＱＵＥを受けて、検出対象位置回答信号ＡＮＳを送出する。この手続を、図２に示す。
【００３８】
まず図２のＳＴＥＰ１で処理を開始すると、ＳＴＥＰ２で位置検索部５Ｃは検出対象位置問い合わせ信号ＱＵＥを受け取る。検出対象位置問い合わせ信号ＱＵＥには、検出対象３が持つ発信器ＲＦａの識別情報が含まれる。なお、本実施形態では、検出対象３が持つ発信器をＲＦａとしているが、これらの発信器は同じ発信レベルをもつものであり、これらのどれを検出対象位置問い合わせ信号ＱＵＥで問い合わせても良い。例えば、検出対象位置問い合わせ信号ＱＵＥで、ＲＦ２とＲＦ５の位置を問い合わせても良い。
【００３９】
位置検索部５Ｃは、続くＳＴＥＰ３で、発信器ＲＦａの識別情報を受信レベルテーブル５Ｂより検索する。その結果、ＳＴＥＰ４で発信器ＲＦａの識別情報が発見できなかった場合、ＳＴＥＰ５において、問い合わせを受けた発信器ＲＦａが空間２内に存在しないとした検出対象位置回答信号ＡＮＳを返し、ＳＴＥＰ６で処理を終了する。
【００４０】
それに対して、ＳＴＥＰ４で発信器ＲＦａの識別情報が発見できた場合には、ＳＴＥＰ７で受信レベルテーブル５Ｂから、発信器ＲＦａの識別情報に対応する基準受信レベルセットＢＲＬ｛Ｅａ１，Ｅａ２｝を抜き出す。そしてＳＴＥＰ８において、この基準受信レベルセットと、受信レベルテーブル５Ｂに格納されている参照受信レベルセットＲＲＬｉ｛Ｅｉ１，Ｅｉ２｝（ｉ＝１〜Ｎ，  ｉ≠ａ  ）を、順次チェックする。すなわち、（数２）で与えられるＤｉを、全てのｉについて計算する。ここでＮは発信器ＲＦｉの設置台数である。
【００４１】
【数２】
0003587448.tif 000004
続くＳＴＥＰ９では、ＳＴＥＰ８で求めたＤ１，・・・ＤＮの最小値Ｄを、次式のように求める。
【００４２】
【数３】
0003587448.tif 000005
次に、ＳＴＥＰ１０では、Ｄがあらかじめ決定した値Ｄｔ１より大きいか否かを判断する。ＤがＤｔ１より大きい場合には、ＳＴＥＰ１１に移行し、検出対象３はいずれの発信器ＲＦｉの付近にもないとして、「位置不明」を示す回答信号ＡＮＳを送出して、ＳＴＥＰ６で処理を終了する。
【００４３】
一方、ＳＴＥＰ１０でＤがＤｔ１より小さい場合には、ＳＴＥＰ１２において、Ｄがあらかじめ決定した値Ｄｔ２より小さいか否かを判断する。ＤがＤｔ２より小さい場合には、ＳＴＥＰ１３において、最小値Ｄを与える発信器ＲＦｉの位置を発信器ＲＦａの位置に「最も近いもの」として、回答信号ＡＮＳを送出する。
【００４４】
これに対して、ＳＴＥＰ１２でＤがＤｔ２より大きい場合には、ＳＴＥＰ１４に移行し、あらかじめ決定した値Ｄｔ１以下となる全ての発信器ＲＦｉの位置を「ある程度の距離に存在するもの」として、回答信号ＡＮＳを送出し、ＳＴＥＰ６で処理を終了する。なお、Ｄｔ１、Ｄｔ２は次式を満たすようにすれば良い。
【００４５】
【数４】
0003587448.tif 000006
（数４）でＤｔ１＝Ｄｔ２としてＤｔ１を十分に大きく取れば、必ず一つの発信器ＲＦｉが選択される。
【００４６】
本実施形態の位置検出方法では、上述のような方法によって検出対象の位置を検出することにより、検出対象の位置を、「不在」、「位置不明」、「最も近い発信器ＲＦｉ」、「ある程度の距離に存在する発信器ＲＦｉ」等のいくつかのパターンで示すことが出来、精度の高い位置検出が可能となる。
【００４７】
また、本実施形態の位置検出方法では、検出対象に付帯される第１の発信器ＲＦａが発信する電波と、空間２内に設置される第２の発信器ＲＦｉが発信する電波を、受信器ＲＳ１、ＲＳ２が受信し、これらの受信レベルを比較する。従って、第１の発信器ＲＦａと受信器ＲＳ１、ＲＳ２の間に障害物等があり、電波障害がある場合には、付近にある第２の発信器ＲＦｉと受信器ＲＳ１、ＲＳ２の間にも障害物がある為、同様に電波障害が起き、位置検出の精度が下がるという問題はない。
【００４８】
なお、以上の説明においては、全ての発信器ＲＦａ、ＲＦｉが発信する電波は同一の発信レベルをもつとしたが、発信レベルが同一でなくても良い。この場合は、（数２）を次式に置き換え、同様に位置検出を行うことが出来る。
【００４９】
【数５】
0003587448.tif 000007
ここで、電界強度は次式で表されるものであり、また、Ｋ０は基準の電場を、βｉ、βａはそれぞれの発信器の発信レベルによって決まる定数を示す。
【００５０】
【数６】
0003587448.tif 000008
さらに、発信器ＲＦａ、ＲＦｉの発信レベルが不明である場合でも、若干の事前調整により本発明の位置検出システムを用いることが出来る。
【００５１】
すなわち、事前調整として、検出対象３が付帯する第１の発信器ＲＦａが発信する電波を受信器ＲＳ１、ＲＳ２で受信し、受信レベルＥ＊ａ１、Ｅ＊ａ２を測定する。次に、第２の発信器ＲＦｉを、第１の発信器ＲＦａの位置に順次設置して、同様に発信する電波を受信器ＲＳ１、ＲＳ２で受信し受信レベルＥ＊ｉ１、Ｅ＊ｉ２を測定し、これらから補正定数αｉａｋ（  ｉ＝１〜Ｎ，  ｉ≠ａ，ｋ＝１〜２  ）を次式のように計算し、記憶させる。
【００５２】
【数７】
0003587448.tif 000009
そして、位置検出を行う際は、（数２）を次式に置き換えることにより、同様に行うことが可能となる。
【００５３】
【数８】
0003587448.tif 000010
本実施形態では、受信器ＲＳ１、ＲＳ２の設置位置を空間２の境界を形成する一辺の両端とした。このことにより、図３に示すように、発信器ＲＦａ、ＲＦｉから電波を発信した際、受信器の受信レベルから距離を算出し、受信器を中心としこの距離を半径として円を描くと、この円は一点でしか交差せず、しかも、受信器の数を最少にすることが出来、好ましい。
【００５４】
発信器ＲＦａ、ＲＦｉから受信器ＲＳ１、ＲＳ２の通信時における、発信元の干渉回避には、時分割による排他制御を好ましく用いることが出来るが、これに限られるものではなく、発信器毎に異なる周波数を用いる等の方法により行っても良い。
【００５５】
従来の位置検出システムでは、検出対象の位置が、ｘ−ｙ座標系、または経度緯度などの数字で示される事が多かった。実際に回答として必要であるのは、「机の上」、「洗面台」等の理論的な場所を示すラベルであり、ｘ−ｙ座標系とこのラベルとを対応させる地図が別途必要となっていた。またこの地図は、空間内のレイアウトが変更される度に作成しなおす必要がある。しかし本実施形態では、第２の発信器ＲＦｉ全てに、場所を表すラベルを定義しておけば、検出対象３が、例えば「机」、「棚」、「時計」等の近くにある、という形式の回答が得られる。この場所を表すラベルは、「Ａさん」等、動くものであっても良く、地図を何度も作成する手間が省ける。
【００５６】
また、上述した実施形態では、ＲＦＩＤタグシステムを用いる位置検出システムを説明したが、ＲＦＩＤタグシステムにおいては、発信器（ＲＦＩＤタグ）の方が受信器（タグリーダ）よりも大幅に安価であるため、上記の方法により位置検出を行うことにより、コストの低い、精度の高い位置検出システムを得ることが出来る。
【００５７】
また、ＲＦＩＤタグシステム以外のシステムを用いて位置検出を行っても良い。例えば、ＰＨＳを用いる場合には、発信器と受信器の立場を逆転させる。具体的には図４に示すように、基地局を発信器３１とし、ＰＨＳ端末を受信器３２とする。そして、発信器３１が発信する電波（信号）を、検出対象３（対象物）に付帯される第１の受信器３２ａと、空間２中で検出を行いたい場所に設ける第２の受信器３２ｉ（ｉ＝１〜Ｎ，ｉ≠ａ）で受信し、これらの第１の受信器３２ａ、第２の受信器３２ｉで受信された電波を、上述した実施形態と同様に位置検出手段５により比較する。この場合、第１の受信器３２ａ、第２の受信器３２ｉが受信した電波の受信レベルを位置検出部５に送出する伝送路は限られるものではない。例えば、第１の受信器３２ａから識別情報、受信レベル等の情報を含む電波（第１の信号）を、第２の受信器３２ｉから識別情報、受信レベル等の情報を含む電波（第２の信号）を発信し、発信器３１を送受信機として、これから伝送路４を経由して位置検出手段５に送出しても良いし、やはり第１の受信器３２ａ、第２の受信器３２ｉから識別情報、受信レベル等の情報を含む電波を発信し、専用の中継局３３（受信器）を設け、それを介して送出しても良い。
【００５８】
ＰＨＳを用いた場合は、ＰＨＳ端末の方が基地局よりも大幅に安価であるため、発信器と受信器の立場を逆転させ同様に位置検出を行うことにより、コストの低い、精度の高い位置検出システムを得ることが出来る。
【００５９】
また、上述した実施形態では、発信器と受信器の間でやり取りする信号として、電波を用いたものを説明したが、本発明は、これらに限られるものではなく、赤外光を用いた光通信方式や、例えばＢｌｕｅ  Ｔｏｏｔｈ等、電波を用いた無線通信方式などを用いても良い。
【００６０】
さらに、上述した実施形態では、検出対象が１つ（１人）であり、受信器が２台である場合について説明したが、検出対象は複数でもよく、また受信器は３台以上により行っても良い。
【００６１】
【発明の効果】
以上のように本発明によれば、精度の高い位置検出システム及び位置検出方法を提供することが出来る。
【図面の簡単な説明】
【図１】本発明の実施形態の位置検出システムを説明する図である。
【図２】本発明の実施形態の位置検出システムの位置検出方法を説明するフローチャートである。
【図３】本発明の実施形態の位置検出システムの位置検出方法を説明する図である。
【図４】本発明の別の実施形態の位置検出システムを説明する図である。
【図５】従来の位置検出システムを説明する図である。
【図６】別の従来の位置検出システムを説明する図である。
【図７】別の従来の位置検出システムの位置検出方法を説明する図である。
【符号の説明】
２…空間
３…検出対象
４…伝送路
５，１３，２３…位置検出部
５Ａ…受信レベル更新部
５Ｂ…受信レベルテーブル
５Ｃ…位置検索部
１１，２１，３１…発信器
１２，２２…受信器
３２ａ…第１の受信器
３２ｉ…第２の受信器
３３…中継局
ＲＳｉ（ｉ＝１，２）…受信器
ＲＦａ…第１の発信器
ＲＦｉ（ｉ＝１〜Ｎ，  ｉ≠ａ  ）…第２の発信器
【図１】
0003587448.tif 000011
【図２】
0003587448.tif 000012
【図３】
0003587448.tif 000013
【図４】
0003587448.tif 000014
【図５】
0003587448.tif 000015
【図６】
0003587448.tif 000016
【図７】
0003587448.tif 000017